(57)【要約】【目的】タリフの種類が増大しても、タクシーメータの限られた広さの前面パネルに、表示やスイッチを収容可能なタクシーメータを提供しようとするものである。【構成】タリフ選択スイッチ及びタリフ適用スイッチと、予め登録される複数のタリフを記憶するタリフ記憶手段と、該タリフ記憶手段に記憶されたタリフの中から、前記タリフ選択スイッチからの信号に基づいて、１つを選択して該選択したタリフを選択状態とするタリフ選択手段と、該選択状態のタリフを、前記タリフ適用スイッチからの信号に基づいて、適用状態とするタリフ適用手段とで構成する。【選択図】    図１
2004318738.tif 000002
【特許請求の範囲】
【請求項１】
タリフ選択スイッチ及びタリフ適用スイッチと、
予め登録される複数のタリフを記憶するタリフ記憶手段と、
該タリフ記憶手段に記憶されたタリフの中から、前記タリフ選択スイッチからの信号に基づいて、１つを選択して該選択したタリフを選択状態とするタリフ選択手段と、
該選択状態のタリフを、前記タリフ適用スイッチからの信号に基づいて、適用状態とするタリフ適用手段と、を備えたことを特徴とするタクシーメータ。
【請求項２】
前記適用状態のタリフが複数並存する請求項１記載のタクシーメータ。
【請求項３】
前記タリフ選択スイッチからの信号に基づいて、前記タリフ選択手段が先に選択したタリフと異なる新たなタリフを選択して選択状態とすると同時に、先に選択したタリフの選択状態を解除するタリフ選択解除手段を備えた請求項１または２記載のタクシーメータ。
【請求項４】
前記タリフ選択スイッチからの信号に基づいて、前記タリフ選択手段が先にタリフを選択して該タリフを選択状態とした後一定時間以内に、該タリフ選択手段が選択状態の前記タリフと異なる新たなタリフを選択しないとき、または、前記タリフ適用スイッチからの信号に基づいて、前記タリフ適用手段が選択状態の前記タリフを適用状態としないとき、前記タリフ選択解除手段は、選択状態の前記タリフの該選択状態を解除する請求項３記載のタクシーメータ。
【請求項５】
前記タリフ適用スイッチからの信号に基づいて、前記タリフ適用手段が前記選択状態のタリフを、前記適用状態とすると同時に、前記タリフ選択解除手段は、前記タリフ適用手段からの指示を受けて、前記選択状態のタリフの該選択状態を解除する請求項３または４のいずれか１項に記載のタクシーメータ。
【請求項６】
前記タリフ適用スイッチからの信号に基づいて、適用状態のタリフの該適用状態を解除するタリフ適用解除手段を備えた請求項１〜５のいずれか１項に記載のタクシーメータ。
【請求項７】
前記タリフ適用解除手段は、適用状態であり且つ選択状態であるタリフの該適用状態を解除する請求項６記載のタクシーメータ。
【請求項８】
前記タリフ適用解除手段が前記適用状態を解除すると同時に、前記タリフ選択解除手段は、前記タリフ適用解除手段からの指示を受けて前記選択状態を解除する請求項７記載のタクシーメータ。
【請求項９】
前記タリフ記憶手段は、該タリフ記憶手段が記憶している少なくとも１つのタリフである第１特定タリフと、単または複数のタリフとが併存して使用されない関係の関連付けを記憶しており、
前記タリフ適用解除手段は、前記タリフ記憶手段が第１特定タリフとの関連付けを記憶している前記単または複数のタリフの少なくとも１つが適用状態であり且つ前記第１特定タリフが適用状態になると、前記単または複数のタリフの適用状態を解除してなる請求項６〜８のいずれか１項に記載のタクシーメータ。
【請求項１０】
前記タリフ記憶手段は、該タリフ記憶手段が記憶している少なくとも１つのタリフである第２特定タリフと、単または複数のタリフとが併存して使用される関係の関連付けを記憶しており、
前記タリフ適用解除手段は、前記タリフ記憶手段が第２特定タリフとの関連付けを記憶している前記単または複数のタリフの少なくとも１つが適用状態であり、且つ、前記第２特定タリフの適用状態が解除されると、前記単または複数のタリフの適用状態を解除してなる請求項６〜９のいずれか１項に記載のタクシーメータ。
【請求項１１】
前記タリフ選択手段は、前記タリフ選択スイッチが操作される毎に、前記タリフ記憶手段に記憶されている所定の順番に従がって、タリフを順次選択する請求項１〜１０のいずれか１項に記載のタクシーメータ。
【請求項１２】
前記タリフ選択スイッチとして、正順選択スイッチと逆順選択スイッチとを備えており、
前記タリフ選択手段は、前記正順選択スイッチが操作されると、前記所定の順番に従がって、また、前記逆順選択スイッチが操作されると、前記所定の順番とは逆の順番に従がって、タリフを順次選択する請求項１１記載のタクシーメータ。
【請求項１３】
前記タリフ選択スイッチ及び前記タリフ適用スイッチとして、押しボタンスイッチを用いた請求項１から１２のいずれか１項に記載のタクシーメータ。
【請求項１４】
前記タリフを、該タリフの前記選択状態、前記適用状態、またはその双方が並存している状態を、識別可能に表示するタリフ表示手段を備えた請求項１〜１３のいずれか１項に記載のタクシーメータ。
【請求項１５】
前記表示手段は、前記タリフ記憶手段に記憶されている全てのタリフを、目視可能に常時表示する請求項１４記載のタクシーメータ。
【請求項１６】
前記表示手段は、適用状態が並存するタリフの最大個数分のタリフの表示エリアを備えた請求項１４記載のタクシーメータ。
【請求項１７】
前記タリフ記憶手段は、基本タリフ以外のタリフを記憶するとともに、
前記基本タリフ毎に独立した基本タリフスイッチと、
該基本タリフスイッチからの信号に基づいて、前記基本タリフを適用状態とし、或いは該適用状態を解除する基本タリフ制御手段と、を設けた請求項１〜１６のいずれか１項に記載のタクシーメータ。
【請求項１８】
前記基本タリフの少なくとも１つのタリフである第１基本タリフと、単または複数のタリフとが併存して使用されない関係の関連付けを記憶する基本タリフ関連付記憶手段と、
前記基本タリフ関連付記憶手段が第１基本タリフとの関連付けを記憶している前記単または複数のタリフの少なくとも１つが適用状態であり、且つ、前記第１基本タリフが適用状態になると、前記単または複数のタリフの適用状態を解除してなる基本関連タリフ適用解除手段と、を備えてなる請求項１７記載のタクシーメータ。
【請求項１９】
前記基本タリフ関連付記憶手段は、前記基本タリフの少なくとも１つのタリフである第２基本タリフと、単または複数のタリフとが併存して使用される関係の関連付けを記憶しており、
前記基本関連タリフ適用解除手段は、前記基本タリフ関連付記憶手段が第２基本タリフとの関連付けを記憶している前記単または複数のタリフの少なくとも１つが適用状態であり、且つ、前記第２基本タリフの適用状態が解除されると、前記単または複数のタリフの適用状態を解除してなる請求項１７または１８項記載のタクシーメータ。
【請求項２０】
前記基本タリフスイッチとして、押しボタンスイッチ、またはロック式の押しボタンスイッチを用いた請求項１７〜１９のいずれか１項に記載のタクシーメータ。
【発明の詳細な説明】
【０００１】
【発明の属する技術分野】
この発明は、タクシーメータに関し、詳しくは、タリフの選択、表示、及び、適用に特徴を有するタクシーメータに関するものである。
【０００２】
【従来の技術】
タクシーメータは、タクシーの乗車料金を算出、表示して、その料金を徴収するための装置であり、そのために必要なタリフの設定が行なえるようになっている。このタリフは、その表示としては、「空車」、「賃走」、「支払」、「高速」、「迎車」、「割増」等が基本的なものであるが、このほかに、極め細かいサービスに対処するため、「早朝」、「予約」、「貸切」、「ワゴン」、「日・割」、「高・割」等のタリフが備えられている。これらのタリフの設定用のスイッチや表示は、図１６の従来例のタクシーメータの前面パネル６１に示すように、或いは、特許文献１に示すように、いずれもタクシーメータの前面パネルに全て収容されている。
【０００３】
【特許文献１】
特開２０００−２０７５８８号公報（５ページの図１）
【０００４】
【発明が解決しようとする課題】
ところが、これらのタリフの種類は、社会の要請に沿って最近では増大する傾向にあり、タクシーの営業の自由化が実施されると、益々顕著になると考えられる。しかしながら、設定に必要なタリフの種類が多くなると、タクシーメータの限られた広さの前面パネルに、全てのタリフを収容することが困難となる。
そこで、この発明はこのような問題点に対処するためになされたものであって、タリフの種類が増大しても、タクシーメータの限られた広さの前面パネルに、表示やスイッチを収容可能なタクシーメータを提供しようとするものである。
【０００５】
【課題を解決するための手段】
本発明は、複数のタリフの中から一つを選択するための信号を発生するスイッチと、その選択されたタリフを、タクシーメータの有する処理機能に適用するための信号を発生するスイッチとを用いる仕組とすることにより、個々のタリフ毎に全て独立した設定スイッチを用いる場合に比べて、スイッチの数を減少させることができるタクシーメータに関するものである。また、頻繁に使用される「空車」、「賃走」、「支払」等の基本的なタリフに対しては、タリフ毎に独立した設定スイッチを設けることにより、操作の容易性を従来通り維持する点にも配慮している。
【０００６】
図１は、本発明のタクシーメータの構成を示したブロック図である。下記に述べる本発明の各タクシーメータは、図１のブロック図に記載されている構成要素の少なくとも一部を用いて構成される。用いられる構成要素は、下記に述べる本発明の各タクシーメータの説明中に記載している。
まず、本発明のタクシーメータは、タリフ選択スイッチ１ａ及びタリフ適用スイッチ１ｂと、予め登録される複数のタリフを記憶するタリフ記憶手段１ｃと、該タリフ記憶手段１ｃに記憶されたタリフの中から、前記タリフ選択スイッチ１ａからの信号に基づいて、１つを選択して該選択したタリフを選択状態とするタリフ選択手段１ｄと、該選択状態のタリフを、前記タリフ適用スイッチ１ｂからの信号に基づいて、適用状態とするタリフ適用手段１ｅと、を備えたことを特徴としている。このタクシーメータの機能は、タリフ選択スイッチ１ａの操作により、予め登録されてタリフ記憶手段１ｃに記憶されている複数のタリフの１つを選択し、この選択したタリフを、タリフ適用スイッチ１ｂの操作により、適用状態にするものである。また、前記適用状態のタリフが複数並存するようにするのが実用的である。
【０００７】
上記のタクシーメータには、前記タリフ選択スイッチ１ａからの信号に基づいて、前記タリフ選択手段１ｄが先に選択したタリフと異なる新たなタリフを選択して選択状態とすると同時に、先に選択したタリフの選択状態を解除するタリフ選択解除手段１ｆを備えるのが便宜である。
また、前記タリフ選択スイッチ１ａからの信号に基づいて、前記タリフ選択手段１ｄが先にタリフを選択して該タリフを選択状態とした後一定時間以内に、該タリフ選択手段１ｄが選択状態の前記タリフと異なる新たなタリフを選択しないとき、または、前記タリフ適用スイッチ１ｂからの信号に基づいて、前記タリフ適用手段１ｅが選択状態の前記タリフを適用状態としないとき、前記タリフ選択解除手段１ｆは、選択状態の前記タリフの該選択状態を解除するのが便宜である。
また、前記タリフ適用スイッチ１ｂからの信号に基づいて、前記タリフ適用手段１ｅが前記選択状態のタリフを、前記適用状態とすると同時に、前記タリフ選択解除手段１ｆは、前記タリフ適用手段１ｅからの指示を受けて、前記選択状態のタリフの該選択状態を解除するのが便宜である。
【０００８】
上記のタクシーメータにおいて、前記タリフ適用スイッチ１ｂからの信号に基づいて、適用状態のタリフの該適用状態を解除するタリフ適用解除手段１ｇを備えるのが便宜である。このタクシーメータの機能は、前記タリフ適用スイッチ１ｂの操作により一旦適用状態となっているタリフに対して、再度、前記タリフ適用スイッチ１ｂを操作することにより、適用状態のタリフのその適用状態を解除するものである。
【０００９】
この場合に、前記タリフ適用解除手段１ｇは、適用状態であり且つ選択状態であるタリフの該適用状態を、前記タリフ適用スイッチ１ｂからの信号に基づいて、解除するようにするのが、適用状態にするのと適用状態を解除するのとの手順を統一する観点から好ましい。この仕組は、機能的には、前記タリフ適用スイッチ１ｂの操作により一旦適用状態となっているタリフに対して、まず、タリフ選択スイッチ１ａを操作して、その一旦適用状態となっているタリフを選択して選択状態とした後、前記タリフ適用スイッチ１ｂの操作により、適用状態のタリフのその適用状態を解除するものである。
【００１０】
この場合に、前記タリフ適用解除手段１ｇが前記タリフ適用スイッチ１ｂからの信号に基づいて、前記適用状態を解除すると同時に、前記タリフ選択解除手段１ｆは、前記タリフ適用解除手段１ｇからの指示を受けて前記選択状態を解除するのが好ましい。この場合の機能は、前記タリフ適用スイッチ１ｂの操作により一旦適用状態となっているタリフに対して、タリフ選択スイッチ１ａを操作して、一旦適用状態となっているタリフを選択して選択状態とした後、前記タリフ適用スイッチ１ｂを操作することにより、選択状態となっている適用状態のタリフの、その適用状態を解除するのと同時に、更に当該選択状態も解除するものである。
【００１１】
また、上記のタクシーメータにおいて、前記タリフ記憶手段１ｃは、該タリフ記憶手段１ｃが記憶している少なくとも１つのタリフである第１特定タリフと、単または複数のタリフとが併存して使用されない関係の関連付けを記憶しており、前記タリフ適用解除手段１ｇは、前記タリフ記憶手段１ｃが第１特定タリフとの関連付けを記憶している前記単または複数のタリフの少なくとも１つが適用状態であり且つ前記第１特定タリフが適用状態になると、前記単または複数のタリフの適用状態を解除するようにしてもよい。
【００１２】
また、前記タリフ記憶手段１ｃは、該タリフ記憶手段１ｃが記憶している少なくとも１つのタリフである第２特定タリフと、単または複数のタリフとが併存して使用される関係の関連付けを記憶しており、前記タリフ適用解除手段１ｇは、前記タリフ記憶手段１ｃが第２特定タリフとの関連付けを記憶している前記単または複数のタリフの少なくとも１つが適用状態であり、且つ、前記第２特定タリフの適用状態が解除されると、前記単または複数のタリフの適用状態を解除するようにしてもよい。
【００１３】
上記のタクシーメータにおいて、前記タリフ選択手段１ｄは、前記タリフ選択スイッチ１ａが操作される毎に、前記タリフ記憶手段１ｃに記憶されている所定の順番に従がって、タリフを順次選択するようにする。また、前記タリフ選択スイッチ１ａとして、正順選択スイッチと逆順選択スイッチとを備えており、前記タリフ選択手段１ｄは、前記正順選択スイッチが操作されると、前記所定の順番に従がって、また、前記逆順選択スイッチが操作されると、前記所定の順番とは逆の順番に従がって、タリフを順次選択するようにしてもよい。これらの前記タリフ選択スイッチ１ａ及び前記タリフ適用スイッチ１ｂに使用されるスイッチとしては、押しボタンスイッチを用いるのが好ましい。
【００１４】
また、上記のタクシーメータにおいて、前記タリフを、該タリフの前記選択状態、前記適用状態、またはその双方が並存している状態を、識別可能に表示するタリフ表示手段１ｈを備えるのが便宜である。この表示手段は、前記タリフ記憶手段１ｃに記憶されている全てのタリフを、目視可能に常時表示するようにしてもよく、或いは、適用状態が並存するタリフの最大個数分のタリフの表示エリアを備えるようにしてもよい。ここで、適用状態が並存するタリフの最大個数は、一般に前記タリフ記憶手段１ｃに記憶されている全てのタリフの個数より少ないので、この場合は、タリフ表示手段１ｈのタリフの表示エリアの広さを必要最小限とすることができる。
【００１５】
上述したように、本発明では、頻繁に使用される「空車」、「賃走」、「支払」等の基本的なタリフに対しては、タリフ毎に独立した設定スイッチを設けることにより、操作の容易性を従来通り維持する点にも配慮している。このようなタクシーメータとしては、前記タリフ記憶手段１ｃは、基本タリフ以外のタリフを記憶するとともに、前記基本タリフ毎に独立した基本タリフスイッチ１ｊと、該基本タリフスイッチ１ｊからの信号に基づいて、前記基本タリフを適用状態とし、或いは該適用状態を解除する基本タリフ制御手段１ｋと、を設けたタクシーメータを構成することができる。
このタクシーメータに使用される基本タリフスイッチ１ｊとしては、押しボタンスイッチ、またはロック式の押しボタンスイッチを用いるのが好ましい。
【００１６】
上記の基本タリフを前記タリフ記憶手段１ｃに記憶しないタクシーメータに、前記基本タリフの少なくとも１つのタリフである第１特定タリフと、単または複数のタリフとが併存して使用されない関係の関連付けを記憶する基本タリフ関連付記憶手段１ｍと、該基本タリフ関連付記憶手段１ｍが第１基本タリフとの関連付けを記憶している前記単または複数のタリフの少なくとも１つが適用状態であり、且つ、前記第１基本タリフが適用状態になると、前記単または複数のタリフの適用状態を解除してなる基本関連タリフ適用解除手段１ｎと、を備えるようにしてもよい。
【００１７】
また、前記基本タリフ関連付記憶手段１ｍは、前記基本タリフの少なくとも１つのタリフである第２基本タリフと、単または複数のタリフとが併存して使用される関係の関連付けを記憶しており、前記基本関連タリフ適用解除手段１ｎは、前記基本タリフ関連付記憶手段１ｍが第２基本タリフとの関連付けを記憶している前記単または複数のタリフの少なくとも１つが適用状態であり、且つ、前記第２基本タリフの適用状態が解除されると、前記単または複数のタリフの適用状態を解除するようにしてもよい。
【００１８】
【発明の実施の形態】
次に、本発明の実施例につき、図面に基づき詳しく説明する。下記に説明する各実施例におけるタクシーメータでは、使用するタリフを基本タリフと拡張タリフとに分けるとともに、これらの基本タリフおよび拡張タリフをメモリーに記憶している。そして、そのメモリーには、それぞれのタリフ毎に、そのタリフが、タクシーメータの運賃計算等の各種処理を行なうために適用されているか否かを示す適用の状態を記録するとともに、拡張タリフについては、そのタリフを、適用したり適用を解除したりする前段階として、そのタリフが選択されているか否かを示す選択の状態を記録している。
【００１９】
図２は、第１実施例のタクシーメータの前面パネル１０を示したものである。図２では、全ての表示内容を表示した状態を示している。通常の使用状態では、このような表示を行なうことはないが、このような表示は、表示パネルの検査用として用いられる。
この前面パネル１０には、専用の独立したスイッチとして、基本タリフを設定するための、空車スイッチ２、実車スイッチ３、支払スイッチ４、高速スイッチ５、迎車スイッチ６、待スイッチ７、及び、呼出／合計スイッチ８が備えられている。これらのスイッチは、前述した基本タリフスイッチに相当する。また、拡張タリフ用のスイッチとして、右シフトスイッチ１１、左シフトスイッチ１２、及び、適用スイッチ１３が備えられている。第１実施例は、この右シフトスイッチ１１、左シフトスイッチ１２、及び、適用スイッチ１３を設けたことを特徴としている。ここで、右シフトスイッチ１１及び左シフトスイッチ１２は、前述したタリフ選択スイッチに相当し、右シフトスイッチ１１は前述した正順選択スイッチに、また、左シフトスイッチ１２は前述した逆順選択スイッチに相当する。また、適用スイッチ１３は前述したタリフ適用スイッチに相当する。上記のこれらのスイッチは、全て、押しボタンスイッチで構成されている。これらの押しボタンスイッチの表面には、図１に示すような名称を表した文字または記号が印刷または刻印されているが、文字や記号に代えて画像を用いるようにしてもよい。
また、タリフの表示用として、主表示部２１、サブ表示部２２、及び、料金表示部２３が備えられている。この内、サブ表示部２２が、前述した表示手段に相当する。主表示部２１には、空車表示２１ａ、賃走表示２１ｂ、支払表示２１ｃ、高速表示２１ｄ、迎車表示２１ｅ、待表示２１ｆ、合計表示２１ｇ、運賃表示２１ｈ、及び、割増／割引表示２１ｊが、また、サブ表示部２２には、拡張タリフの表示用として、日・割表示２２ａ、予約表示２２ｂ、早朝表示２２ｃ、ワゴン表示２２ｄ、高・割表示２２ｅ、貸切表示２２ｆ、予備１表示２２ｇ、予備２表示２２ｈ、割引表示２２ｊ、及び、予備３表示２２ｋが設けられている。料金表示部２３は、主として、拡張タリフにより加算される金額の表示に用いられる。
【００２０】
図３は、図２の前面パネルを有する第１実施例のタクシーメータの構成を示したブロック図である。図３において、制御部２９は、メモリーや入力制御、出力制御機能を備えたマイクロコンピュータで構成されている。この制御部２９には、押しボタンスイッチである、空車スイッチ２、実車スイッチ３、支払スイッチ４、高速スイッチ５、迎車スイッチ６、待スイッチ７、呼出／合計スイッチ８、右シフトスイッチ１１、左シフトスイッチ１２、及び、適用スイッチ１３が接続されている。これらのスイッチが押されると、これらのスイッチから１個のパルス信号が発生する。即ち、スイッチが押されている時間に関係なく、１度スイッチが押されると、当該スイッチから１個のパルスが出力される。これらのスイッチが押されると、このパルス信号とともに、各スイッチに割り当てられたスイッチ番号を表す信号が制御部２９に入力され、制御部２９は、これにより押されたスイッチを認識し、これに基づいて各種の処理を行なう。
また、制御部２９には、表示用として、主表示部２１、サブ表示部２２、及び、料金表示部２３が接続されている。このほか、図示されていないが、タクシーの走行距離測定のための距離パルス発生器等が接続されている。
【００２１】
制御部２９は、上記の各押しボタンスイッチが押されると、メモリーに記憶しているプログラムにより、各タリフの選択状態や適用状態を記録して、主表示部２１、或いはサブ表示部２２へのタリフの表示を行なうとともに、これらのタリフの適用状態に基づいて運賃算出等の各種処理を行ない、その結果を主表示部２１や料金表示部２３へ表示する。
また、制御部２９のメモリーには、上記の基本タリフ及びその状態を記憶する基本タリフ記憶エリア２９ａと、拡張タリフ及びその状態を記憶する拡張タリフ記憶エリア２９ｂとが設けられている。拡張タリフ記憶エリア２９ｂは前述したタリフ記憶手段に相当する。また、基本タリフ記憶エリア２９ａの機能には、前述した基本タリフ関連付記憶手段の機能も含まれている。
【００２２】
図４は、基本タリフ記憶エリア２９ａの一部を示したものであり、各基本タリフに対してその基本タリフの適用の状態を記憶する適用状態記憶エリアが設けられており、基本タリフが適用状態のときは、当該基本タリフの適用状態記憶エリアに「１」が記録され、適用状態でないときは「０」が記録される。図５は、拡張タリフ記憶エリア２９ｂの一部を示したものであり、各拡張タリフに対してそのタリフの選択の状態を記憶する選択状態記憶エリアと、適用の状態を記憶する適用状態記憶エリアとが設けられている。拡張タリフが選択状態のときは、当該拡張タリフの選択状態記憶エリアに「１」が記録され、選択状態でないときは「０」が記録される。また、拡張タリフが適用状態のときは、当該拡張タリフの適用状態記憶エリアに「１」が記録され、適用状態ではないときは「０」が記録される。
【００２３】
ここで、前述した、タリフ選択手段、タリフ適用手段、タリフ選択解除手段、タリフ適用解除手段、基本タリフ制御手段、及び、基本関連タリフ適用解除手段が有する機能は、制御部２９で実現されるが、それらの機能の実現には、制御部２９のメモリーに記憶されたプログラムが使用される。これらのプログラムにより実現される機能について、詳しくは後述するが、一般的に説明すると、タリフ選択手段の機能は、右シフトスイッチ１１または左シフトスイッチ１２からの信号に基づいて拡張タリフ記憶エリア２９ｂの該当タリフの選択状態記憶エリアに「１」を記録する機能に相当する。タリフ選択解除手段の機能は、右シフトスイッチ１１または左シフトスイッチ１２からの信号に基づいて、或いは、タリフ適用手段またはタリフ適用解除手段からの指示により、拡張タリフ記憶エリア２９ｂの該当タリフの選択状態記憶エリアに「０」を記録する機能に相当する。タリフ適用手段の機能は、適用スイッチ１３からの信号に基づいて、拡張タリフ記憶エリア２９ｂの該当タリフの適用状態記憶エリアに「１」を記録する機能に相当し、タリフ適用解除手段の機能は、同じく適用スイッチ１３からの信号に基づいて、拡張タリフ記憶エリア２９ｂの該当タリフの適用状態記憶エリアに「０」を記録する機能に相当する。基本タリフ制御手段の機能は、基本タリフを設定するための、空車スイッチ２、実車スイッチ３等のスイッチからの信号に基づいて、基本タリフ記憶エリア２９ａの適用状態記憶エリアに「１」または「０」を記録する機能に相当する。そして、基本関連タリフ適用解除手段の機能は、基本タリフスイッチからの信号に基づいて、拡張タリフ記憶エリア２９ｂの適用状態記憶エリアに「０」を記録する機能に相当する。
【００２４】
基本タリフの表示に用いられる主表示部２１は、液晶パネルで構成されており、指定された表示のみが点灯する仕組となっている。これらの各表示は、基本タリフ記憶エリア２９ａの適用状態記憶エリアに記録されている各基本タリフの適用の状態と連動しており、適用状態記憶エリアに「１」が記録されているとこれらの各表示は点灯状態であり、「０」が記録されていると消灯状態である。また、これらの各記録が「０」から「１」になると各表示は点灯し、「１」から「０」になると消灯する。
基本タリフ用の、空車スイッチ２、実車スイッチ３、支払スイッチ４、高速スイッチ５、迎車スイッチ６、待スイッチ７、及び、呼出／合計スイッチ８は、上述したように専用の独立した押しボタンスイッチであり、これらの押しボタンスイッチの表面には、それぞれ、該当するタリフである、空車、実車、支払、高速、迎車、待、または、呼出／合計の文字が刻印されている。これらの押しボタンスイッチを押すと、基本タリフ記憶エリア２９ａのそれぞれのスイッチに対応する適用状態記憶エリアに「１」が記録されるとともに、同時に、それぞれの基本タリフの記録内容に基づき、それぞれのスイッチに対応する空車表示２１ａ、賃走表示２１ｂ、支払表示２１ｃ、高速表示２１ｄ、迎車表示２１ｅ、または、待表示２１ｆが点灯する。
また、既に適用状態となっている基本タリフ用のスイッチを押すと、当該適用状態となっている基本タリフ記憶エリア２９ａの当該基本タリフの適用状態記憶エリアに「０」が記録されて適用状態が解除されるとともに、当該基本タリフの表示が消灯する。
【００２５】
基本タリフ用の押しボタンスイッチの内、空車スイッチ２、実車スイッチ３、支払スイッチ４により、各基本タリフを適用状態とするのは、いずれか一つのみ可能であり、適用状態となっている基本タリフと異なる別のスイッチを押すと、当該適用状態となっている基本タリフ記憶エリア２９ａの当該基本タリフの適用状態記憶エリアに「０」が記録されて適用状態が解除されるとともに、当該基本タリフの表示が消灯し、同時に押された別のスイッチに対応する基本タリフの適用状態記憶エリアに「１」が記録されて、適用状態にするとともに、この別のスイッチに対応する基本タリフの表示が点灯する。例えば、空車タリフが適用状態となっており、図６に示すように、主表示部２１の空車表示２１ａが点灯しているときに、実車スイッチ３を押すと、空車タリフの適用状態が解除されるとともに、空車表示２１ａが消灯し、代わって、賃走タリフが適用状態となるとともに、図７に示すように、賃走表示２１ｂが点灯する。
そのほかの、高速スイッチ５、迎車スイッチ６、待スイッチ７、及び、呼出／合計スイッチ８は、他のタリフとは関係なく単独で適用状態にでき、適用状態にあるタリフのスイッチを再度押すと、そのタリフの適用状態は解除されるとともに、その表示も消灯する。例えば、賃走タリフが適用状態となっているときに、高速スイッチ５を押すと、図８に示すように、賃走タリフの適用状態はそのままで高速タリフが適用状態となり、高速表示２１ｄが点灯し、再度高速スイッチ５を押すと、高速タリフの適用状態が解除され、高速表示２１ｄが消灯する。これらのタリフは、複数のタリフを併行して適用状態とすることができる。例えば、高速タリフと迎車タリフとを併行して適用状態とする等である。
【００２６】
拡張タリフの表示に用いられるサブ表示部２２には、背照式パネルを用いている。このパネルには、図１に示すように、拡張タリフの表示が２段に渡って、１段目の左から右へと２段目の左から右へ、日・割表示２２ａ、予約表示２２ｂ、早朝表示２２ｃ、ワゴン表示２２ｄ、高・割表示２２ｅ、貸切表示２２ｆ、予備１表示２２ｇ、予備２表示２２ｈ、割引表示２２ｊ、及び、予備３表示２２ｋの配列順に設けられている。これらの表示における各文字は、全て、予め印刷されており、常時目視できるようになっている。そして、これらの各表示は、拡張タリフ記憶エリア２９ｂの選択状態記憶エリアに記録されている各拡張タリフの選択の状態と、適用状態記憶エリアに記録されている各拡張タリフの適用の状態とに連動している。即ち、拡張タリフ記憶エリア２９ｂの該当タリフの選択状態記憶エリアに「１」が記録されているとこれらの各表示は点滅状態であり、「０」が記録されていると消灯状態である。これらの各記録が「０」から「１」になると各表示は点滅状態となり、「１」から「０」になると点滅状態が消灯する。また、拡張タリフ記憶エリア２９ｂの該当タリフの適用状態記憶エリアに「１」が記録されているとこれらの各表示は連続点灯状態であり、「０」が記録されていると消灯状態である。これらの各記録が「０」から「１」になると各表示は連続点灯し、「１」から「０」になると消灯する。つまり、各表示において、点滅状態は当該タリフが選択状態であることを示し、点灯状態は適用状態であることを示している。
【００２７】
拡張タリフの操作は、押しボタンスイッチでそれぞれ構成された、右シフトスイッチ１１、左シフトスイッチ１２、及び、適用スイッチ１３を用いて、次のように行なわれる。まず、最初に、右シフトスイッチ１１を押すと、拡張タリフ記憶エリア２９ｂの日・割タリフの選択状態記憶エリアに「１」が記録されるとともに、図９に示すように、サブ表示部２２の表示の配列の１番目の日・割表示２２ａの背景が点滅する。この点滅は、日・割タリフが選択されていることを表している。その状態で再び右シフトスイッチ１１を押すと、日・割タリフの選択状態記憶エリアに「０」が記録されると同時に、日・割タリフの隣にある予約タリフの選択状態記憶エリアに「１」が記録される。拡張タリフ記憶エリア２９ｂにおいて、この日・割タリフから予約タリフへの移動は、拡張タリフ記憶エリア２９ｂに記憶されている各タリフのアドレスを、インクリメントすることにより行なわれる。そうすると、日・割表示２２ａの背景が消灯し、代わって図１０に示すように、上記表示の配列の２番目である予約表示２２ｂの背景が点滅する。そこで再度右シフトスイッチ１１を押すと、同様にして、予約タリフの選択状態記憶エリアに「０」が記録され、早朝タリフの選択状態記憶エリアに「１」が記録され、予約表示２２ｂの背景が消灯し、代わって図１１に示すように、サブ表示部２２の表示の配列の３番目である早朝表示２２ｃの背景が点滅する。このようにして、右シフトスイッチ１１を押す毎に、サブ表示部２２の各表示の背景の点滅が、上記表示の配列の順番に従がって順次シフトされていく。左シフトスイッチ１２を押した場合は、このシフトが、上記と逆に行なわれる。このシフトの順番は、サブ表示部の順番と同じであり、このようにするために、拡張タリフ記憶エリア２９ｂにおける拡張タリフの配列を、サブ表示部の順番と同としている。
【００２８】
そこで、適用したいタリフの表示の背景を点滅させた後、適用スイッチ１３を押すと、拡張タリフ記憶エリア２９ｂの当該タリフの適用状態記憶エリアに「１」が記録されると同時に、選択状態記憶エリアに「０」が記録される。この部分の処理が、前述した「前記タリフ適用スイッチからの信号に基づいて、前記タリフ適用手段が前記選択状態のタリフを、前記適用状態とすると同時に、前記タリフ選択解除手段は、前記タリフ適用手段からの指示を受けて、前記選択状態のタリフの該選択状態を解除する」に相当する。すると、当該タリフの表示の背景が点滅から連続点灯に変化する。例えば、図１０に示す、早朝表示２２ｃの背景が点滅しているときに、適用スイッチ１３を押すと、早朝タリフの適用状態記憶エリアに「１」が記録されて、早朝タリフが適用状態となると同時に、選択状態記憶エリアに「０」が記録されて早朝タリフの選択状態が解除され、図１２に示すように、早朝表示２２ｃの背景が連続点灯して、早朝タリフが適用状態であることを表示する。
この場合に、表示の背景が点滅している状態で、一定時間内、例えば、３０秒以内に、右シフトスイッチ１１、左シフトスイッチ１２、あるいは、適用スイッチ１３のいずれも押されない場合は、選択を無効として、当該タリフの選択状態記憶エリアに「０」が記録され当該タリフの表示の背景の点滅が消灯するようにしている。
【００２９】
また、既に適用されているタリフを再度選択して選択状態とした後、適用スイッチ１３が押されると、その拡張タリフの適用状態は解除され、その表示の背景も消灯するようにしている。例えば、早朝タリフが適用状態である場合、早朝タリフの選択状態記憶エリアに「０」が記録され、適用状態記憶エリアに「１」が記録されている。そこで、右シフトスイッチ１１または左シフトスイッチ１２を操作することにより、拡張タリフ記憶エリア２９ｂのタリフのアドレスのインクリメントまたはデクリメントを繰り返して、早朝タリフにシフトし、その選択状態記憶エリアに「１」を記録して選択状態とし、早朝表示２２ｃの背景を点滅させる。その後、適用スイッチ１３を押すと、早朝タリフの適状態記憶エリアの記録の内容を判定して、「１」が記録されている場合に、「０」を記録して適用状態を解除するとともに、その選択状態記憶エリアに「０」を記録して、選択状態も解除する。この部分の処理が、前述した「前記タリフ適用スイッチからの信号に基づいて、前記タリフ適用解除手段が前記適用状態を解除すると同時に、前記タリフ選択解除手段は、前記タリフ適用解除手段からの指示を受けて前記選択状態を解除する」に相当する。そうすると、早朝表示２２ｃの背景が消灯する。この場合、適用状態でないタリフを選択した場合と、適用状態のタリフを選択した場合とを区別するため、当該タリフの表示を、適用状態でないタリフを選択した場合には遅い点滅とし、適用状態のタリフを選択した場合には早い点滅とするようにしてもよい。このようにすることにより、選択されたタリフが、既に適用状態にあるのか、適用状態に無いのかを容易に示すことができる。
【００３０】
本実施例では、拡張タリフにおいてタリフを選択状態とする場合と選択状態を解除する場合の選択状態記憶エリアへの記録の手順を統一するため、或いは、基本タリフと拡張タリフにおいてタリフを適用状態とする場合と適用状態を解除する場合の適用状態記憶エリアへの記録の手順を統一するため、これらの記憶エリアへの記録に際して当該記憶エリアの記録の内容を確認して、「０」であれば「１」を、「１」であれば「０」を記録する仕組としている。
また、拡張タリフにおいては、各タリフは、他のタリフと関係なく独立して適用することができるので、適用状態にあるタリフを複数並存させることができる。しかし、上述した説明からわかるように、選択状態にあるタリフを複数並存させることはない。そのため、タリフを選択して適用状態とし、或いは、タリフを選択して適用状態を解除する操作を、混乱なくスムースに行なうことができる。
【００３１】
上記の実施例において、特定の拡張タリフとそれ以外の単または複数の拡張タリフとの特定の関係について関連付けておき、その関連付けを拡張タリフ記憶エリア２９ｂに記憶しておいて、単または複数の拡張タリフの少なくとも１つが適用状態である場合に、上記の特定の拡張タリフが適用状態となったとき、または適用状態を解除された場合に、単または複数の拡張タリフの適用状態を解除するようにすることもできる。例えば、予備１タリフと予約タリフ及び早朝タリフとについて、予備１タリフが予約タリフや早朝タリフと併存して使用されない関係であることを関連付けておき、適用スイッチの操作により、予備１タリフの適用状態記憶エリアに「１」を記録して予備１タリフを適用状態にすると同時に、予約タリフと早朝タリフの適用状態記憶エリアの記録の状態を判定し、「１」即ち適用状態であれば、これらのタリフの適用状態記憶エリアに「０」を記録することにより、これらのタリフの適用状態を解除することができる。
同様に、例えば、予備２タリフと予約タリフ及び早朝タリフとについて、予備２タリフが予約タリフや早朝タリフと併存して使用される関係であることを関連付けておき、適用スイッチの操作により、予備２タリフの適用状態記憶エリアに「０」を記録して予備２タリフの適用状態を解除すると同時に、予約タリフと早朝タリフの適用状態記憶エリアの記録の状態を判定し、「１」即ち適用状態であれば、これらのタリフの適用状態記憶エリアに「０」を記録することにより、これらのタリフの適用状態を解除することができる。これらの仕組を用いることにより、拡張タリフの適用状態の解除の操作を簡素化することができる。
【００３２】
また、特定の基本タリフとそれ以外の単または複数の拡張タリフとを、上記と同様に関連付けておき、その関連付けを基本タリフ記憶エリア２９ａに記憶しておいて、単または複数の拡張タリフの少なくとも１つが適用状態である場合に、上記の特定の基本タリフが適用状態となったとき、または適用状態を解除された場合に、単または複数のタリフの適用状態を解除するようにすることもできる。例えば、空車タリフと予約タリフ及び貸切タリフとについて、空車タリフが予約タリフや貸切タリフと併存して使用されない関係であることを関連付けておき、空車タリフが、空車スイッチの操作により、基本タリフ記憶エリア２９ａの空車タリフの適用状態記憶エリアに「１」を記録して空車タリフを適用状態にすると同時に、拡張タリフ記憶エリア２９ｂの予約タリフと早朝タリフの適用状態記憶エリアの記録の状態を判定し、「１」即ち適用状態であれば、これらのタリフの適用状態記憶エリアに「０」を記録することにより、これらのタリフの適用状態を解除することができる。同様に、別の例として、例えば、空車タリフと予約タリフ及び貸切タリフとについて、空車タリフが予約タリフや貸切タリフと併存して使用される関係であることを関連付けておき、空車スイッチの操作により、空車タリフの適用状態記憶エリアに「０」を記録して、空車タリフの適用状態を解除すると同時に上記と同様の処理を行なうようにすることもできる。これらの場合も、拡張タリフの適用状態の解除の操作を簡素化することができる。
【００３３】
上記の第１実施例によれば、拡張タリフの表示は予備も含めて１０個設けられている。しかし、これらの拡張タリフの選択用のスイッチ及び適用スイッチとしては、右シフトスイッチ１１、左シフトスイッチ１２、及び、適用スイッチ１３の３個でよく、設置には、広いスペースを必要としない。従がって、拡張タリフの種類が増大しても、新たなスイッチを設ける必要が無く、タクシーメータの限られた広さの前面パネルに、表示やスイッチを収容可能とすることができる。また、拡張タリフの選択及び表示のシフト用として、右シフトスイッチ１１と左シフトスイッチ１２の２個のシフトスイッチを用いているので、いずれかシフト回数の少ない方のスイッチを用いることができ、拡張タリフを選択し、適用状態にしたり、適用状態を解除したりする操作の時間を短縮することができる。また、タクシーメータ１が使用する拡張タリフの表示が全て、サブ表示部２２に備えられており、しかも、表示用の各文字は、予め印刷されているので、常時目視でき、拡張タリフの適用に際し、全ての拡張タリフが一覧できることから、拡張タリフの選択を容易に行なうことができる。また、空車スイッチ２、実車スイッチ３、支払スイッチ４等の基本タリフの設定用スイッチは、頻繁に使用されるが、これらの基本タリフの設定用スイッチは、独立した専用のスイッチとして設けられているので、操作が単純で分かりやすい。また、全てのスイッチが押しボタンスイッチで構成されているので、スイッチの操作も容易である。
【００３４】
上記の第１実施例では、拡張タリフの表示として、その選択時は各拡張タリフに対応する表示の文字の背景を点滅させ、その適用時は連続点灯させているが、他の表示の方法として、同じく背照式パネルを用いて、拡張タリフの選択や、適用状態にする操作が行なわれない間は、全ての拡張タリフの表示を消灯させておき、選択時に対応する表示の文字そのものを点滅し、適用状態にする操作が行なわれると連続点灯するようにしてもよい。この方法は、液晶パネルを用いて行なうこともできる。また、各拡張タリフに対応する表示の文字の背景を点滅させたり、連続点灯させたりするのに代えて、表示の文字の部分を点滅させたり、連続点灯させたりするようにしてもよい。
【００３５】
次に、本発明の第２実施例について説明する。第１実施例では、サブ表示部２２は、選択時には、対応する表示の文字の背景が点滅し、適用時には、これが連続点灯するが、この方法に代えて、第２実施例では、文字表示の下端にカーソルを設けたサブ表示部３１を用いており、これ以外は、第１実施例と同様である。文字表示の下端にカーソルを設ける方法としては、ドットマトリックスタイプの液晶パネルに、各拡張タリフを表す文字を常時点灯表示しておき、その文字表示の下端にカーソルを表示するスペースを設ける。そして、このスペースに表示するカーソルの表示を、第１実施例における表示の文字の背景の表示と同じように、点滅させたり、連続点灯させたりする。図１０は、第２実施例のサブ表示部３１の表示例を示したものである。
【００３６】
このサブ表示部３１を用いた第２実施例における拡張タリフの拡張タリフを選択し、適用状態にする方法について次に説明する。この第２実施例においても、拡張タリフ記憶エリア２９ｂの各タリフの選択状態記憶エリアや適用状態記憶エリアへの記録については、第１実施例と同じであるので、ここでは、表示を中心に説明する。まず、最初に、右シフトスイッチ１１を押すと、図１３（ａ）に示すように、上述した配列の１番目の日・割表示のカーソル３１ａが点滅し、その状態で再び右シフトスイッチ１１を押すと、日・割表示のカーソル３１ａが消灯し、代わって図１３（ｂ）に示すように、上述した配列の２番目である予約表示のカーソル３１ｂが点滅する。そこで再度右シフトスイッチ１１を押すと、予約表示のカーソル３１ｂが消灯し、代わって図１３（ｃ）に示すように、上述した配列の３番目である早朝表示のカーソル３１ｃが点滅する。そこで、適用スイッチ１３を押すと、早朝タリフを適用状態にするとともに、図１３（ｄ）に示すように、早朝表示のカーソル３１ｃが点滅から連続点灯に変化する。左シフトスイッチ１２を用いると、第１実施例と同様、拡張タリフの表示のシフトが、上記と逆に行なわれる。
この第２実施例は、第１実施例と同様の効果を有するほか、サブ表示部３１にドットマトリックスタイプの液晶パネルを用いているので、仕様変更等による拡張タリフの変更を、ソフトウェアのみで行なうことが可能である。
【００３７】
拡張タリフの場合は、全てのタリフが同時に併行して使用されるわけではなく、同時に併行して使用されるタリフの個数は、一般に拡張タリフの全個数よりも少ない。そこで、タリフの表示用のスペースを少しでも減らす方法として、拡張タリフが併行して使用される最大個数分の表示エリアを確保しておけば、使用上問題は生じない。そこで次に、このような対処を行なった本発明の第３実施例について説明する。この第３実施例においても、拡張タリフ記憶エリア２９ｂの各タリフの選択状態記憶エリアや適用状態記憶エリアへの記録については、第１実施例や第２実施例と同じであるので、ここでも、表示を中心に説明する。第３実施例では、同時に併行して使用されるタリフは最大４個としている。この第３実施例のタクシーメータの前面パネルは、第２実施例のサブ表示部３１に代えて、拡張タリフ１個分の表示スペースを４個有するサブ表示部４１を用いる以外は、第２実施例と同様である。サブ表示部４１はドットマトリックスタイプの液晶パネルで構成されており、この液晶パネルは、第１表示エリア４２、第２表示エリア４３、第３表示エリア４４、及び、第４表示エリア４５を有している。図１４は、これらの表示エリアを有するサブ表示部４１の表示例を示したものである。
【００３８】
このサブ表示部４１を用いた第３実施例における拡張タリフの選択、適用動作を、次に説明する。ここでは、予約タリフを適用状態にした後に、続いて早朝タリフを適用状態にする場合について述べる。まず、最初に、右シフトスイッチ１１を最初に押すと、図１４（ａ）に示すように、第１表示エリア４２に、上述した配列１番目の日・割タリフの日・割の文字が点滅し、その状態で再び右シフトスイッチ１１を押すと、日・割の文字が消灯し、代わって図１４（ｂ）に示すように、上述した配列２番目の予約タリフの予約の文字が点滅する。そこで、適用スイッチ１３を押すと、予約タリフを適用状態にするとともに、図１４（ｃ）に示すように、予約の文字が点滅から連続点灯に変化する。同様の操作を繰り返すことにより（図１４（ｄ）〜（ｆ））、第２表示エリア４３に上述した配列３番目の早朝タリフの早朝の文字を点滅させ、適用スイッチ１３を押すことにより、早朝タリフを適用状態にするとともに早朝の文字が連続点灯する（図１４（ｇ））。この場合、第１実施例と同様、図１４（ｅ）に示すように、既に適用状態となっているタリフもシフトにより選択することができる。また、左シフトスイッチ１２を用いると、拡張タリフの表示のシフトが、上記と逆に行なわれる。
この第３実施例は、第２実施例と同様の効果を有するほか、タリフの表示スペースとしては、拡張タリフが並存して使用される最大個数分のスペースで済むので、拡張タリフの増大に容易に対処することができる。
【００３９】
上記の各実施例では、右シフトスイッチ１１、左シフトスイッチ１２、及び、適用スイッチ１３を使用してタリフを選択して適用状態にするのは、拡張タリフに対してのみであるが、基本タリフを含む全てのタリフに使用するようにしてもよい。
この場合に、あるタリフを選択して適用状態にした後においても、既に適用状態となっているタリフ以外の他のタリフを選択して適用状態とすることができる。例えば、賃走タリフを適用状態とした後に、高速タリフを適用状態とする等である。また、既に適用状態のタリフをさらに選択し、適用スイッチ１３を操作することにより、このタリフの適用状態を解除することができる。例えば、高速タリフを選択して適用状態にした後、再度高速タリフを選択し、適用スイッチ１３を操作することにより、高速タリフの適用状態を解除する等である。また、特定タリフと予め関連付けられているいくつかの関連タリフが既に適用状態になっている場合に、この特定タリフを選択して適用することにより、関連タリフの適用状態を解除することができる。例えば、予め、賃走タリフと高速タリフとを支払タリフに関連付けておき、賃走タリフを選択して適用状態にした後、さらに高速タリフを選択して適用状態にした状態で、支払タリフを選択して、適用スイッチ１３を操作することにより、支払タリフを適用状態にするとともに、賃走タリフと高速タリフの適用状態を解除する等である。
【００４０】
また、上記の各実施例では、各種スイッチとしては、押しボタンスイッチを用いているが、トグルスイッチ等、押しボタンスイッチ以外のスイッチを用いるようにしてもよい。また、拡張タリフの選択、表示のシフト用として、右シフトスイッチ１１と左シフトスイッチ１２の２個のシフトスイッチを用いているが、いずれか１個としてもよい。この場合は、シフトキー１個分の設置スペースを減らすことができる。図１５は、この方式を用いた第４実施例のタクシーメータの前面パネル５１を示したものである。この例では、タリフの選択にシフトスイッチ５２が用いられる。このタクシーメータの前面パネル５１では、適用スイッチ１３の名称を「決定」としている。その他のスイッチの名称は、第１実施例のタクシーメータの前面パネル１０と略同じである。また、５３は主表示部、５４はサブ表示部である。
【００４１】
【発明の効果】
請求項１から８記載の発明によれば、タリフを選択し、選択したタリフを適用状態にしたリ、或いは適用状態を解除したりするのに、タリフ選択スイッチ及びタリフ適用スイッチのみでできるため、各タリフに対応した個別のスイッチを設ける必要が無く、スイッチの設置に広いスペースを必要としない。従がって、タクシーメータの前面パネルの面積を縮小することができる。
【００４２】
請求項９、１０、１８または１９記載の発明によれば、特定のタリフとそれ以外の単または複数のタリフとを、関連付けておき、或いは、特定の基本タリフとそれ以外の単または複数のタリフとを、関連付けておき、単または複数のタリフの少なくとも１つが適用状態である場合に、特定のタリフまたは特定の基本タリフが適用状態になったとき、或いは適用状態が解除されたときに、単または複数のタリフの適用を解除できるので、タリフの適用状態の解除の操作を簡素化することができる。
【００４３】
請求項１２記載の発明によれば、タリフを選択して適用状態にしたり、適用状態を解除したりするのに、正順選択スイッチと逆順選択スイッチ及びタリフ適用スイッチの３個で済むため、その設置には広いスペースを必要としない。また、タリフの選択及び表示のシフト用として、正順選択スイッチと逆順選択スイッチの２個のシフトスイッチを用いるので、いずれかシフト回数の少ないほうのスイッチを用いることができ、操作時間を短縮することができる。
【００４４】
請求項１３または２０記載の発明によれば、タリフ選択スイッチ及びタリフ適用スイッチが押しボタンスイッチで構成されており、これらのスイッチの操作は押しボタンを押すだけでよく、タリフ選択スイッチ及びタリフ適用スイッチの操作を容易にすることができる。
【００４５】
請求項１４記載の発明によれば、タリフ表示手段は、前記タリフを、該タリフの前記選択状態、前記適用状態、またはその双方が並存している状態を、識別可能に表示するので、タリフを選択して適用状態にしたり適用状態を解除したりする操作を混乱なくスムースに行なうことができる。
【００４６】
請求項１５の発明によれば、タリフ選択スイッチによって選択される全てのタリフの表示が、常時目視可能であるので、全てのタリフが一覧でき、タリフの選択を容易に行なうことができる。
【００４７】
請求項１６記載の発明によれば、タリフの表示エリアとしては、タリフが並存して使用される最大個数分の表示スペースで済むので、タリフの増大に容易に対処することができる。
【００４８】
請求項１７記載の発明によれば、頻繁に使用される基本タリフ設定スイッチが、独立した専用のスイッチとして設けられているので、操作が単純であり、基本タリフ設定スイッチの操作を容易に行なうことができる。
【図面の簡単な説明】
【図１】本発明のタクシーメータの構成を示したブロック図である。
【図２】第１実施例のタクシーメータの前面パネルの正面図である。
【図３】第１実施例のタクシーメータの構成を示したブロック図である。
【図４】第１実施例の基本タリフ記憶エリアの構成図である。
【図５】第１実施例の拡張タリフ記憶エリアの構成図である。
【図６】第１実施例の表示状態を示した説明図（１）である。
【図７】第１実施例の表示状態を示した説明図（２）である。
【図８】第１実施例の表示状態を示した説明図（３）である。
【図９】第１実施例の表示状態を示した説明図（４）である。
【図１０】第１実施例の表示状態を示した説明図（５）である。
【図１１】第１実施例の表示状態を示した説明図（６）である。
【図１２】第１実施例の表示状態を示した説明図（７）である。
【図１３】第２実施例のサブ表示部の表示状態を示した説明図である。
【図１４】第３実施例のサブ表示部の表示状態を示した説明図である。
【図１５】第４実施例のタクシーメータの前面パネルの正面図である。
【図１６】従来例のタクシーメータの前面パネルの正面図である。
【符号の説明】
１ａ    タリフ選択スイッチ
１ｂ    タリフ適用スイッチ
１ｃ    タリフ記憶手段
１ｄ    タリフ選択手段
１ｅ    タリフ適用手段
１ｆ    タリフ選択解除手段
１ｇ    タリフ適用解除手段
１ｈ    タリフ表示手段
１ｊ    基本タリフスイッチ
１ｋ    基本タリフ制御手段
１ｍ    基本タリフ関連付記憶手段
１ｎ    基本関連タリフ適用解除手段
２    空車スイッチ
３    実車スイッチ
４    支払スイッチ
５    高速スイッチ
６    迎車スイッチ
７    待スイッチ
８    呼出／合計スイッチ
１０    タクシーメータ前面パネル
１１    右シフトスイッチ
１２    左シフトスイッチ
１３    適用スイッチ
２１    主表示部
２１ａ    空車表示
２１ｂ    賃走表示
２１ｃ    支払表示
２１ｄ    高速表示
２１ｅ    迎車表示
２１ｆ    待表示
２１ｇ    合計表示
２１ｈ    運賃表示
２１ｊ    割増／割引表示
２２    サブ表示部
２２ａ    日・割表示
２２ｂ    予約表示
２２ｃ    早朝表示
２２ｄ    ワゴン表示
２２ｅ    高・割表示
２２ｆ    貸切表示
２２ｇ    予備１表示
２２ｈ    予備２表示
２２ｊ    割引表示
２２ｋ    予備３表示
２３    料金表示部
２９    制御部
２９ａ    基本タリフ記憶エリア
２９ｂ    拡張タリフ記憶エリア
３１    サブ表示部
３１ａ    空車表示のカーソル
３１ｂ    賃走表示のカーソル
３１ｃ    支払表示のカーソル
４１    サブ表示部
４２    第１表示エリア
４３    第２表示エリア
４４    第３表示エリア
４５    第４表示エリア
５１    タクシーメータ前面パネル
５２    シフトスイッチ
５３    主表示部
５４    サブ表示部
６１    タクシーメータ前面パネル
【図１】
2004318738.tif 000003
【図２】
2004318738.tif 000004
【図３】
2004318738.tif 000005
【図４】
2004318738.tif 000006
【図５】
2004318738.tif 000007
【図６】
2004318738.tif 000008
【図７】
2004318738.tif 000009
【図８】
2004318738.tif 000010
【図９】
2004318738.tif 000011
【図１０】
2004318738.tif 000012
【図１１】
2004318738.tif 000013
【図１２】
2004318738.tif 000014
【図１３】
2004318738.tif 000015
【図１４】
2004318738.tif 000016
【図１５】
2004318738.tif 000017
【図１６】
2004318738.tif 000018